(57)【要約】【課題】  用いる部材数が少なく、容易且つ安価に隣り合う２枚の外壁パネルの間に形成される目地部を乾式で塞ぐことができる目地材、目地材保持具、及び目地構造を提供する。【解決手段】  本目地構造１は、目地材２の挿入部２４が目地材保持具３の２枚の縦辺部３２の間に挿入され、目地材２の係止爪２７と目地材保持具３の返し片３４の一方とが係止するとともに、２片の返し片３４により挿入部２４が挟まれ、目地材２の内ヒレ２８の端部と、外ヒレ２９の端部とが外壁パネル４の側面４５に当接し、目地材保持具３の係止部３５が外壁パネル４の内奥角部４２に係止することにより目地材２が外壁パネル４の間に形成された目地部４１に弾性的に保持され、目地材２の折曲部２５の端部が外壁パネル４の屋外面４６に当接するとともに、目地材２の水密材２２が外壁パネル４の屋外面４６に圧接密着されて、目地部４１を塞ぐものである。【選択図】      図１
2007009620.tif 000002
【特許請求の範囲】
【請求項１】
隣り合う２枚の外壁パネルの間に形成される目地部を塞ぐ目地材において、
幅が前記目地部の幅より広く、その両端部が前記外壁パネル側へ斜めに折り曲げられて形成された折曲部を有する目地蓋部と、該目地蓋部の内側面中央に突設され、その先端が前記目地蓋部側に折り返されて形成された係止爪を有する挿入部とにより断面略Ｔ字状に形成された鋼板からなる芯部と、
前記挿入部の左右に突設された内ヒレ及び外ヒレを有するヒレ部と、
前記目地蓋部の内側面に配設されて前記外壁パネルに圧接密着される水密材と、
を具備することを特徴とする目地材。
【請求項２】
請求項１記載の目地材を隣り合う２枚の外壁パネルの間に形成される目地部に弾性的に保持する目地材保持具であって、
略平行に向かい合う２枚の縦辺部と、該縦片部の向かい合う面から屋内側へ斜めに突設され、その屋内側の端部同士の幅が前記目地材の挿入部の幅以下である２片の返し片と、を備える嵌着部と、
該嵌着部の左右に突設され、その先端に目地幅方向外側へ湾曲した係止部を有し、左右の係止部同士の幅が前記目地部の幅より広い保持部と、
を具備することを特徴とする目地材保持具。
【請求項３】
幅が隣り合う２枚の外壁パネルの間に形成される目地部の幅より広く、その両端部が前記外壁パネル側へ斜めに折り曲げられて形成された折曲部を有する目地蓋部と、該目地蓋部の内側面中央に突設され、その先端が前記目地蓋部側に折り返されて形成された係止爪を有する挿入部とにより断面略Ｔ字状に形成された鋼板からなる芯部と、前記挿入部の左右に突設された内ヒレ及び外ヒレを有するヒレ部と、前記目地蓋部の内側面に配設されて前記外壁パネルに圧接密着される水密材と、を具備する目地材と、略平行に向かい合う２枚の縦辺部と、該縦片部の向かい合う面から屋内側へ斜めに突設され、その屋内側の端部同士の幅が前記目地材の挿入部の幅以下である２片の返し片と、を備える嵌着部と、該嵌着部の左右に突設され、その先端に目地幅方向外側へ湾曲した係止部を有し、左右の係止部同士の幅が前記目地部の幅より広い保持部と、を具備して前記目地材を前記外壁パネルの目地部に弾性的に保持する目地材保持具と、により外壁パネルの目地部を塞ぐ目地構造であって、
前記挿入部が前記２枚の縦辺部の間に挿入され、前記係止爪と前記返し片の一方とが係止するとともに、前記２片の返し片の屋内側の端部同士により前記挿入部が挟まれて前記目地材に前記目地材保持具が嵌着され、
前記内ヒレの端部と、前記外ヒレの端部とが前記外壁パネルの側面に当接し、
前記係止部が前記外壁パネルの内奥角部に係止することにより前記目地材が前記外壁パネルの目地部に弾性的に保持され、
前記折曲部の端部が外壁パネルの屋外面に当接するとともに、前記水密材が前記外壁パネルの屋外面に圧接密着されて、前記目地部を塞ぐことを特徴とする目地構造。
【発明の詳細な説明】
【技術分野】
【０００１】
本発明は、住宅等の建物の外壁パネルの目地を塞ぐために用いられる目地材、目地材保持具、及び目地構造に関する。
【背景技術】
【０００２】
外壁パネルを取り付けて住宅等の建物の外壁を構成する場合、隣り合う２枚の外壁パネルの間に形成された目地部から雨水等が侵入しないように該目地部を塞ぐ必要があるが、従来、外壁の目地部を塞ぐために、さまざまな目地構造が用いられており、外壁の仕様や仕上げに応じて目地構造が適宜選択され、施工される。
【０００３】
例えば、外壁パネル４をリップ溝形鋼からなる軸組５に取り付けた外壁において、該外壁をタイルや石材等の外装材６により仕上げたタイル・石張り仕様とする場合、図６に示すように、隣り合う２枚の外壁パネル４の基材４０間に形成された目地部４１を塞ぐ目地構造１００として、硬めのスポンジ等からなる第１バックアップ材１０１が外壁パネル４のフレーム材４３間に軸組５に当接して配設され、ロックウール等の不燃材１０２が該第１バックアップ材１０１の屋外側に当接して配設され、樹脂製成形材である第２バックアップ材１０３が目地部の底になるように不燃材１０２の屋外側に当接して配設され、シーリング材１０４が第２バックアップ材１０３を底目地として打設される。この場合、以上の目地構造１００を形成した後に、外壁パネル４の基材４０の屋外面４６にモルタルや弾性接着剤等の接着用材７により前記外装材６を貼設して外壁を仕上げる。
【０００４】
しかし、上記した目地構造１００によると、シーリング材１０４によるシーリング工事を行う必要がある。該シーリング工事は、施工する職人の技量によって防水性能が左右されるものであり、性能にばらつきがでて施工不良が発生することが懸念される。また、シーリング工事は、施工が簡略化されていないため、コストが高く、タイル・石張り仕様の外壁の普及を妨げている。さらに、リフォーム時において目地部４１のシーリング材１０４を除去する場合、該シーリング材１０４をきれいに除去できないことが多く、古いシーリング材１０４が残存する箇所に新しいシーリング材１０４を再び打設しても、外壁パネル４の基材４０とシーリング材１０４とが十分に接着されず、防水性能が発揮されずに屋内側に漏水することが懸念される。
【０００５】
ところで、シーリング材１０４を用いずに、目地材と目地材保持具により乾式で目地部を塞ぐ目地構造がある（例えば、特許文献１参照）。この目地構造は、柔軟材からなる内外一対のヒレ片を左右に突出させた目地材に弾性金属板からなる目地材保持具を嵌着し、該目地材保持具の弾性により目地材を目地部に保持している。この目地構造によれば、シーリング材やバックアップ材を用いることなく目地材を目地部に保持できるとともに、配設後の目地材の浮き上がりを防止できる。
【特許文献１】特開平５−１４８９１６号公報
【発明の開示】
【発明が解決しようとする課題】
【０００６】
しかしながら、特許文献１の目地構造では、目地材に目地材保持具を嵌着する際に、目地材の内奥側のヒレ片の先端に目地材保持具本体の両端の折曲部を嵌着するが、左右に突出している該ヒレ片に目地材保持具を嵌着するのは難しく、嵌着に手間がかかっていた。また、目地材、及び目地材保持具共に不燃性を有するものではないため、目地材保持具の屋内側に不燃材を配設する必要があり、目地構造を構成する部材数が多く、施工に手間と費用がかかるという問題があった。
【０００７】
本発明は、上記の課題に鑑みてなされたものであり、用いる部材数が少なく、容易且つ安価に隣り合う２枚の外壁パネルの間に形成される目地部を乾式で塞ぐことができる目地材、目地材保持具、及び目地構造を提供することを目的とする。
【課題を解決するための手段】
【０００８】
上記目的を達成するために、請求項１記載の目地材は、隣り合う２枚の外壁パネルの間に形成される目地部を塞ぐ目地材において、幅が前記目地部の幅より広く、その両端部が前記外壁パネル側へ斜めに折り曲げられて形成された折曲部を有する目地蓋部と、該目地蓋部の内側面中央に突設され、その先端が前記目地蓋部側に折り返されて形成された係止爪を有する挿入部とにより断面略Ｔ字状に形成された鋼板からなる芯部と、前記挿入部の左右に突設された内ヒレ及び外ヒレを有するヒレ部と、前記目地蓋部の内側面に配設されて前記外壁パネルに圧接密着される水密材と、を具備することを特徴としている。
【０００９】
請求項２記載の目地材保持具は、請求項１記載の目地材を隣り合う２枚の外壁パネルの間に形成される目地部に弾性的に保持する目地材保持具であって、略平行に向かい合う２枚の縦辺部と、該縦片部の向かい合う面から屋内側へ斜めに突設され、その屋内側の端部同士の幅が前記目地材の挿入部の幅以下である２片の返し片と、を備える嵌着部と、該嵌着部の左右に突設され、その先端に目地幅方向外側へ湾曲した係止部を有し、左右の係止部同士の幅が前記目地部の幅より広い保持部と、を具備することを特徴としている。
【００１０】
請求項３記載の目地構造は、幅が隣り合う２枚の外壁パネルの間に形成される目地部の幅より広く、その両端部が前記外壁パネル側へ斜めに折り曲げられて形成された折曲部を有する目地蓋部と、該目地蓋部の内側面中央に突設され、その先端が前記目地蓋部側に折り返されて形成された係止爪を有する挿入部とにより断面略Ｔ字状に形成された鋼板からなる芯部と、前記挿入部の左右に突設された内ヒレ及び外ヒレを有するヒレ部と、前記目地蓋部の内側面に配設されて前記外壁パネルに圧接密着される水密材と、を具備する目地材と、略平行に向かい合う２枚の縦辺部と、該縦片部の向かい合う面から屋内側へ斜めに突設され、その屋内側の端部同士の幅が前記目地材の挿入部の幅以下である２片の返し片と、を備える嵌着部と、該嵌着部の左右に突設され、その先端に目地幅方向外側へ湾曲した係止部を有し、左右の係止部同士の幅が前記目地部の幅より広い保持部と、を具備して前記目地材を前記外壁パネルの目地部に弾性的に保持する目地材保持具と、により外壁パネルの目地部を塞ぐ目地構造であって、前記挿入部が前記２枚の縦辺部の間に挿入され、前記係止爪と前記返し片の一方とが係止するとともに、前記２片の返し片の屋内側の端部同士により前記挿入部が挟まれて前記目地材に前記目地材保持具が嵌着され、前記内ヒレの端部と、前記外ヒレの端部とが前記外壁パネルの側面に当接し、前記係止部が前記外壁パネルの内奥角部に係止することにより前記目地材が前記外壁パネルの目地部に弾性的に保持され、前記折曲部の端部が外壁パネルの屋外面に当接するとともに、前記水密材が前記外壁パネルの屋外面に圧接密着されて、前記目地部を塞ぐことを特徴としている。
【発明の効果】
【００１１】
本発明の請求項１の目地材によれば、幅が隣り合う２枚の外壁パネルの間に形成される目地部の幅より広く、その両端部が外壁パネル側へ斜めに折り曲げられて形成された折曲部を有する目地蓋部と、該目地蓋部の内側面中央に突設され、その先端が目地蓋部側に折り返されて形成された係止爪を有する挿入部とにより断面略Ｔ字状に形成された鋼板からなる芯部と、挿入部の左右に突設された内ヒレ及び外ヒレを有するヒレ部と、を具備するため、容易に外壁の目地部を乾式で塞ぐことができる。また、外壁に防火性能を求められる場合であっても、別途不燃材を用いる必要がない。さらに、目地蓋部の内側面に配設されて外壁パネルに圧接密着される水密材を具備するため、地震等による外壁パネルの変動に対して目地材が追従し、目地切れせずに防水性能を確実に保持できる。
【００１２】
請求項２の目地材保持具によれば、略平行に向かい合う２枚の縦辺部と、該縦片部の向かい合う面から屋内側へ斜めに突設され、その屋内側の端部同士の幅が請求項１の目地材の挿入部の幅以下である２片の返し片と、を備える嵌着部と、該嵌着部の左右に突設され、その先端に目地幅方向外側へ湾曲した係止部を有し、左右の係止部同士の幅が前記目地部の幅より広い保持部と、を具備するため、目地材とともに容易に外壁の目地部を乾式で塞ぐことができる。また、目地材の挿入部に嵌着部を押し込むことで目地材に目地材保持具を容易に嵌着できる。また、目地材の挿入部の係止爪と返し片の一方とが係止するとともに、目地材の挿入部を左右の返し片により挟むため、目地材の挿入部が嵌着部から抜け難い。さらに、係止部が外壁パネルの内奥角部に係止するため、目地材の浮き上がりを防止できる。
【００１３】
請求項３の目地構造によれば、請求項１の目地材と、請求項２の目地材保持具とにより、目地材の挿入部が目地材保持具の２枚の縦辺部の間に挿入され、係止爪と返し片の一方とが係止するとともに、２片の返し片の屋内側の端部同士により挿入部が挟まれて目地材に目地材保持具が嵌着され、内ヒレの端部と、外ヒレの端部とが外壁パネルの側面に当接し、係止部が外壁パネルの内奥角部に係止することにより目地材が外壁パネルの目地部に弾性的に保持され、目地材の折曲部の端部が外壁パネルの屋外面に当接するとともに、水密材が外壁パネルの屋外面に圧接密着されて、外壁パネルの目地部を塞ぐため、用いる部材数が少なく、容易且つ安価に外壁の目地部を乾式で塞ぐことができる。
【発明を実施するための最良の形態】
【００１４】
以下、本発明の実施形態に係る目地構造について図面に基づいて説明する。
図１は、本実施の形態に係る目地構造１の概略構成を示す平面図であり、図示するように、目地材２、目地材保持具３、及び外壁パネル４を主体に構成される。
【００１５】
目地材２は、隣り合う２枚の外壁パネル４の間に形成される目地部４１を塞ぐために外壁パネル４の長手方向に沿うように長尺に形成されたものであって、図１乃至図４に示すように、芯部２０、ヒレ部２１、及び水密材２２を具備している。芯部２０は、鋼板により形成されており、目地蓋部２３と、該目地蓋部２３の内側面中央に突設された挿入部２４により略Ｔ字状に形成されている。目地蓋部２３は、目地部４１を塞ぐことができるように、該目地部４１の目地幅より広い幅を有している。目地蓋部２３の両端部は、外壁パネル４側方向へ斜めに折り曲げられて折曲部２５が形成されている。また、目地材２を目地部４１に配設した際に外壁パネル４より屋外側に突出する目地蓋部２３及び折曲部２５の厚みは、薄いものであり、タイルや石材等の外装材６を貼設する場合に用いるモルタルや弾性接着剤等の接着用材７の塗布厚と略同程度である。さらに、目地蓋部２３及び折曲部２５は、外壁パネル４より屋外側に突出するため、耐候性を有するようにポリエステル等の樹脂２６により被覆されている。
【００１６】
また、折曲部２５により外壁パネル４と目地蓋部２３との間に空間が形成されており、該空間内の目地蓋部２３の内側面に樹脂２６を介してホットメルトやエプト等の樹脂発泡体の水密材２２が融着配設されている。この水密材２２は、外壁パネル４に圧接密着されて目地部４１から屋内への雨水等の侵入を防ぐ第１の止水手段として機能すると共に、外壁パネル４と目地材２の滑り止めの役割を果たし、地震等による外壁パネル４の変動に対して目地材２が追従するため、目地切れせずに防水性能が低下しない。挿入部２４は、その先端が目地蓋部２３側に折り返されてフック状の係止爪２７が形成されている。
【００１７】
ヒレ部２１は、合成樹脂により長尺に形成されて前記芯部２０の左右に接着されたものであって、挿入部２４の左右に突設された内ヒレ２８と外ヒレ２９を具備するものある。内ヒレ２８と外ヒレ２９の左右への長さは、目地材２を目地部４１に配設した場合、内ヒレ２８の端部と外ヒレ２９の端部が外壁パネル４の側面４５に当接可能な長さであり、この内ヒレ２８と外ヒレ２９の２段構成により第２の止水手段として目地部４１から屋内への雨水等の侵入を防止する。また、ヒレ部２１は、内ヒレ２８より屋内側に延びて挿入部２４に接着され、内ヒレ２８と外ヒレ２９の間においても挿入部２４に接着され、さらに外ヒレ２９より屋外側に延びて挿入部２４及び目地蓋部２３に接着されている。
【００１８】
目地材保持具３は、長さが約３乃至４ｃｍ程度の弾性金属板からなり、図１乃至図４に示すように、嵌着部３０、及び保持部３１を具備している。嵌着部３０は、略平行に向かい合う２枚の縦辺部３２と、該縦辺部３２の一端がその両端部に接続した円弧部３３とにより断面略Ｕ字状に形成されており、また、縦辺部３２の向かい合う面から屋内側へ斜めに突設された２片の返し片３４を備えている。また、返し片３４の屋内側の端部同士の幅は、目地材２の挿入部２４の幅以下であり、目地材２に目地材保持具３を嵌着した際に、目地材２の係止爪２７とこの返し片３４の一方とが係止するとともに、２片の返し片３４の屋内側の端部同士により挿入部２４を挟むことができるため、目地材２の挿入部２４が目地材保持具３の嵌着部３０から抜け難いようになっている。
【００１９】
なお、２枚の縦辺部３２の略平行に向かい合う幅は、目地材２のヒレ部２１の幅と挿入部２４の幅を合わせた幅と略同じ、又は若干狭い方が、目地材２に目地材保持具３を嵌着した際に、２枚の縦辺部３２により目地材２のヒレ部２１と挿入部２４を挟むことができ、安定した状態で嵌着でき、好ましい。また、目地材２に目地材保持具３を嵌着した際に縦辺部３２の先端がヒレ部２１の内ヒレ２８に当接する方が、より安定した状態で嵌着でき、好適である。
【００２０】
保持部３１は、嵌着部３０の挿入部３２と円弧部３３の境界近傍から左右に斜め目地幅方向外側へ突設されるとともに、途中で斜め目地幅方向内側へ湾曲した形状をしており、この保持部３１の先端は、再度目地幅方向外側へ湾曲して係止部３５が形成されている。この左右の係止部３５同士の幅は、目地部４１の幅よりも大きい。このように、左右の係止部３５同士の幅が目地部４１の幅よりも広く、また、係止部３５が目地幅方向外側へ湾曲しているため、係止部３５が外壁パネル４の内奥角部４２に係止して目地材２を目地部４１に弾性的に保持できる。
【００２１】
外壁パネル４は、図３に示すように、基材４０、フレーム材４３、及び補強材４４からなる。基材４０は、主原料としてセメント質原料および繊維質原料を用いた外装用板材、いわゆる、サイディングボードである。フレーム材４３は、基材４０側のフランジが長い溝形鋼からなり、基材４０の屋内面の外周縁に溝が外方を向くように補強材４４を介して配設されている。補強材４４は、耐火性を有する亜鉛鉄板からなり、基材４０の屋内面に配設されており、その端部がフレーム材４３側に折り返されている。この外壁パネル４は、図５に示すように、リップ溝形鋼からなる軸組５にフレーム材４３がボルト接合されており、隣り合う２枚の外壁パネル４により目地部４１を形成している。
【００２２】
以上の構成により目地構造１を形成するには、まず、図２に示すように、目地材２に目地材保持具３を約５００乃至８００ｍｍピッチ程度の間隔で嵌着する。このとき、図３に示すように、目地材２の挿入部２４が目地材保持具３の嵌着部３０の２枚の縦辺部３２の間に挿入されるとともに、目地材２の係止爪２７と目地材保持具３の返し片３４の一方とが係止し、２片の返し片３４の屋内側の端部同士により挿入部２４が挟まれるため、目地材２の挿入部２４が目地材保持具３の嵌着部３０から抜け難くなっている。
【００２３】
次いで、図３に示すように、隣り合う２枚の外壁パネル４により形成された目地部４１に、目地材保持具３が嵌着した目地材２を目地材保持具３側から押し込む。このとき、図４に示すように、目地材保持具３の保持部３１は、目地部４１を通過できるように目地幅方向内側に湾曲している。そして、目地材保持具３の保持部３１が目地部４１を通過するまで押し込むと、図１に示すように、目地材２の内ヒレ２８の端部と外ヒレ２９の端部が外壁パネル４の基材４０の側面４５に当接し、目地材保持具３の係止部３５が外壁パネル４の内奥角部４２に係止して、保持部３１の弾性により目地材２が目地部４１に弾性的に保持される。また、目地材２の折曲部２５の端部が外壁パネル４の基材４０の屋外面４６に当接するとともに、水密材２２が基材４０の屋外面４６に圧接密着されて、目地部４１を塞ぐ目地構造１が形成される。
【００２４】
目地構造１の形成後、図５に示すように、外壁パネル４の基材４０の屋外面４６にモルタルや弾性接着剤等の接着用材７によりタイルや石材等の外装材６を貼設してタイル・石張り仕様の外壁を仕上げることもできる。この場合、外壁パネル４から屋外側に突出している目地材２の目地蓋部２３及び折曲部２５の厚みが薄く、基材４０の屋外面４６に外装材６を貼設する際の接着用材７の塗布厚と略同程度であるため、基材４０を切り欠いたりすることなく接着用材７塗布後の基材４０の表面を平滑に仕上げることができ、外装材６を目地材２の上にも貼設できる。また、目地材２の目地蓋部２３及び折曲部２５は、樹脂２６により被覆されているため、接着用材７や雨水等に侵されることなく、長期間に渡って目地部４１を塞ぐことができる。なお、接着用材７は、弾性接着剤である方が、地震等による外壁パネル４の変動に対して追従できるため、外装材６の脱落を防止でき、好ましい。
【００２５】
以上の説明より明らかなように、本発明の実施の形態に係る目地材２、目地材保持具３、及び目地構造１によれば、目地材２、及び目地材保持具３とにより目地構造１を形成するため、用いる部材数が少なく、容易且つ安価に隣り合う２枚の外壁パネル４の間に形成される目地部４１を乾式で塞ぐことができ、今後増加が見込まれるリフォーム物件に対しても、目地部４０の再施工を容易且つ安価に行うことができる。また、目地材２の芯部２０が鋼板であるため、外壁に防火性能を求められる場合であっても、別途不燃材を設ける必要がない。さらに、水密材２２が外壁パネル４と目地材２の滑り止めの役割を果たし、地震等による外壁パネル４の変動に対して目地材２が追従するため、目地切れせずに防水性能を確実に保持できる。
【００２６】
また、目地材保持具３の嵌着部３０に目地材２の挿入部２４が挿入されることで目地材２に目地材保持具３を容易に嵌着でき、地材２の係止爪２７と目地材保持具３の返し片３４の一方とが係止するとともに、目地材２の挿入部２４が２片の返し片３４の屋内側の端部同士により挟まれるため、目地材２の挿入部２４が目地材保持具３の嵌着部３０から抜け難い。さらに、目地材保持具３の係止部３５が外壁パネル４の内奥角部４２に係止して目地材２を保持するため、目地材２の浮き上がりを防止できる。
【００２７】
なお、本発明は上記実施形態に限定されるものではなく、本発明の要旨の範囲内で種々の変形実施が可能である。例えば、本実施の形態では、外壁パネル４の基材４０は、サイディングボードとしたが、外壁部分に用いられる板状材料であればよく、ＰＣ板やＡＬＣ等でもよい。
【産業上の利用可能性】
【００２８】
本発明は、住宅等の建物の隣り合う２枚の外壁パネルの間に形成される目地部を塞ぐ場合に利用可能である。
【図面の簡単な説明】
【００２９】
【図１】本発明の実施形態に係る目地構造の概略構成を示す平面図である。
【図２】目地材、及び目地材保持具の一例と、目地構造を形成する手順を示す平面図である。
【図３】目地構造を形成する手順を示す平面図である。
【図４】目地構造を形成する手順を示す平面図である。
【図５】本発明の実施形態に係る目地構造によるタイル・石張り仕様の外壁の一例を示す平面図である。
【図６】従来の目地構造によるタイル・石張り仕様の外壁の一例を示す平面図である。
【符号の説明】
【００３０】
１    目地構造
２    目地材
３    目地材保持具
４    外壁パネル
２０    芯部
２１    ヒレ部
２２    水密部
２３    目地蓋部
２４    挿入部
２５    折曲部
２７    係止爪
２８    内ヒレ
２９    外ヒレ
３０    嵌着部
３１    保持部
３２    縦辺部
３４    返し片
３５    係止部
４１    目地部
４２    内奥角部
４５    側面
４６    屋外面
【図１】
2007009620.tif 000003
【図２】
2007009620.tif 000004
【図３】
2007009620.tif 000005
【図４】
2007009620.tif 000006
【図５】
2007009620.tif 000007
【図６】
2007009620.tif 000008